(57)【特許請求の範囲】
【請求項１】
複数のワードから構成されるパスワードを入力するためのパスワード入力装置であって、
パスワードを構成する真ワードと、パスワードを構成しない偽ワードとを、入力者の操作に応じて切り替えて表示する表示手段と、
前記表示手段に表示されたワードの真偽を入力者に選択させる選択手段と、
前記選択手段により真が選択されたときの前記表示手段に表示されたワードを受け付ける受付手段と、を備え、
前記選択手段は、真偽を選択可能な操作キーを備え、
操作キーには真偽の選択を特定不能なワードが表示される
ことを特徴とするパスワード入力装置。
【請求項２】
前記操作キーは、
それぞれ異なるワードが表示される複数の操作キーからなるとともに、
真の選択を示す真ワードキーと、偽の選択を示す偽ワードキーとをそれぞれ複数有する
ことを特徴とする請求項１記載のパスワード入力装置。
【請求項３】
前記表示手段は、
入力者により前記操作キーが操作されるごとにワードを切り替えて表示し、
前記受付手段は、
前記真ワードキーが二回以上連続して操作されたときにおいて、そのときの操作順序が同じ真ワードキーが連続して操作された操作順序でない限り、最初に真ワードキーが操作されたときの前記表示手段に表示されたワードを受け付ける
ことを特徴とする請求項２記載のパスワード入力装置。
【請求項４】
複数のワードから構成されるパスワードを入力するためのパスワード入力装置であって、
パスワードを構成する真ワードと、パスワードを構成しない偽ワードとを、入力者の操作に応じて切り替えて表示する表示手段と、
前記表示手段に表示されたワードの真偽を入力者に選択させる選択手段と、
前記選択手段により真が選択されたときの前記表示手段に表示されたワードを受け付ける受付手段と、を備え、
前記表示手段は、
入力者に真偽を選択させるためのワードを表示する真偽ワード表示部と、真偽の選択に係らないワードを表示するダミーワード表示部と、を有し、
真偽ワード表示部に表示されるワードは、入力者の操作に応じて、ダミーワード表示部に表示されていたワードに更新される
ことを特徴とするパスワード入力装置。
【請求項５】
複数のワードから構成されるパスワードを入力するためのパスワード入力装置であって、
パスワードを構成する真ワードと、パスワードを構成しない偽ワードとを、入力者の操作に応じて切り替えて表示する表示手段と、
前記表示手段に表示されたワードの真偽を入力者に選択させる選択手段と、
前記選択手段により真が選択されたときの前記表示手段に表示されたワードを受け付ける受付手段と、を備え、
前記選択手段は、０〜９の数字を入力可能なテンキー入力装置である
ことを特徴とするパスワード入力装置。
【請求項６】
複数のワードから構成されるパスワードを入力するためのパスワード入力方法であって、
パスワードを構成する真ワードと、パスワードを構成しない偽ワードとを、入力者の操作に応じて切り替えて表示する表示工程と、
前記表示工程で表示されたワードの真偽を真偽の選択を特定不能なワードが表示される操作キーにより入力者に選択させる選択工程と、
前記選択工程において真が選択されたときの表示工程において表示されたワードを受け付ける受付工程と、を有する
ことを特徴とするパスワード入力方法。
【請求項７】
複数のワードから構成されるパスワードを入力するためのパスワード入力方法であって、
パスワードを構成する真ワードと、パスワードを構成しない偽ワードとを、入力者の操作に応じて切り替えて表示する表示工程と、
前記表示工程で表示されたワードの真偽を０〜９の数字を入力可能なテンキー入力装置により入力者に選択させる選択工程と、
前記選択工程において真が選択されたときの表示工程において表示されたワードを受け付ける受付工程と、を有する
ことを特徴とするパスワード入力方法。
【発明の詳細な説明】
【技術分野】
【０００１】
本発明は、複数のワードから構成されるパスワードを入力するためのパスワード入力装置及びパスワード入力方法に関する。
【背景技術】
【０００２】
近年、遊技場において、遊技を行うにあたりパスワードの入力を要求するパスワード入力装置の設置が増加している。例えば、遊技者が獲得した遊技球、遊技メダルなどの遊技媒体を、引き出し（再プレイ）可能に預かる貯玉システムでは、遊技球、遊技メダルなどの貯玉の引き出しの際に、パスワードの入力を要求する。パスワードは、貯玉システムにおいてパスワード入力装置として機能する、例えば、台間機、再プレイ機を介して入力され、これにより所定数量の遊技媒体を引き出すことができる（特許文献１）。
【０００３】
また、一般に知られているＡＴＭ（現金自動預け払い機）においても、現金の引き出しの際には、パスワードの入力を要求する（特許文献２）。
【先行技術文献】
【特許文献】
【０００４】
【特許文献１】特開平０９−２０１４７１号公報
【特許文献２】特開２００６−９９４７５号公報
【発明の概要】
【発明が解決しようとする課題】
【０００５】
ところが、このような従来のパスワード入力装置には、改善の余地があった。
【課題を解決するための手段】
【０００６】
上記課題を解決するため、本発明のパスワード入力装置は、複数のワードから構成されるパスワードを入力するためのパスワード入力装置であって、パスワードを構成する真ワードと、パスワードを構成しない偽ワードとを、入力者の操作に応じて切り替えて表示する表示手段と、前記表示手段に表示されたワードの真偽を入力者に選択させる選択手段と、前記選択手段により真が選択されたときの前記表示手段に表示されたワードを受け付ける受付手段と、を備える構成としてある。
【０００７】
また、本発明のパスワード入力方法は、複数のワードから構成されるパスワードを入力するためのパスワード入力方法であって、パスワードを構成する真ワードと、パスワードを構成しない偽ワードとを、入力者の操作に応じて切り替えて表示する表示工程と、前記表示工程で表示されたワードの真偽を入力者に選択させる選択工程と、前記選択工程において真が選択されたときの表示工程において表示されたワードを受け付ける受付工程と、を有する方法としてある。
【図面の簡単な説明】
【０００８】
【図１】本発明の一実施形態に係るパスワード入力装置の外観を示す概略斜視図である。
【図２】パスワード入力装置の制御構成を示すブロック図である。
【図３】本発明の一実施形態に係るパスワード入力手段（画面）を示す概略図である。
【図４】パスワードの入力例を示す説明図である。
【図５】パスワードの他の入力例を示す説明図である。
【図６】ワード列の生成方法を示す説明図である。
【図７】パスワード照合処理を示すフローチャートである。
【図８】本発明の他の実施形態に係るパスワード入力手段（画面）を示す概略図である。
【発明を実施するための形態】
【０００９】
本発明に係るパスワード入力装置の好ましい実施形態について、図１〜図８を参照して説明する。
【００１０】
本実施形態では、パスワード入力装置として遊技場に設置される再プレイ機について例示する。
再プレイ機１は、遊技者が獲得した遊技球、遊技メダルなどの遊技媒体を引き出し（再プレイ）可能に預かる貯玉システムにおいて、遊技球、遊技メダルなどの貯玉を直接引き出すことが可能な端末装置として動作する。
貯玉システムでは、貯玉は預け入れた貯玉会員（遊技者）と紐づけられて管理されており、その紐づけには貯玉会員ごとに付与される会員ＩＤとパスワードが用いられる。
会員ＩＤは、遊技場から予め貯玉会員に提供される会員カードに記録され、パスワードは、貯玉会員が事前に遊技場に申請を行うことにより登録されており、これらの情報は、預け入れた遊技媒体の数量を示す貯玉情報とともに貯玉システムを管理する貯玉管理サーバーに記憶されている。
再プレイ機１は、会員ＩＤとパスワードを受け付け可能に構成され、受け付けたこれらの情報に基づいて貯玉管理サーバーとデータ通信を行いながら、貯玉会員の所望する数量の遊技媒体を払い出す動作を行う。
このような動作を実現すべく、再プレイ機１は以下のように構成されている。
【００１１】
本実施形態の再プレイ機１は、遊技機の台間ごとに設置される台間機タイプと異なり、遊技機の設置される遊技機島の端部等に設けられるスタンドアロンタイプの再プレイ機であって、図１に示すように、筐体形状の外観を有している。
筐体外部には、貯玉会員の入力操作を受け付けるタッチパネル部２、会員カードの受け入れ及び返却を行うカード挿入口３、遊技媒体を払い出す遊技媒体払出口４を備えている。
また、筐体内部には、図２に示すように、貯玉管理サーバーとの双方向データ通信を行う通信部５、遊技媒体の貯留及び払出を行う払出部６、メモリ機能を有する記憶部７、カード挿入口３より受け入れた会員カードから会員ＩＤを読み取る読取部８、演算機能を有する演算部９、これら各部を制御可能なコンピュータとして動作する制御部１０などを備えている。
【００１２】
このように構成された再プレイ機１は、カード挿入口３から会員カードを受け付けると、読取部８が会員カードより会員ＩＤを読み取るとともに、読み取った会員ＩＤを通信部５を介して貯玉管理サーバーに送信し、会員ＩＤと紐づけられたパスワードを貯玉管理サーバーから取得して記憶部７に記憶する。また、タッチパネル部２を介してパスワードを受け付けるとともに、受け付けたパスワードと貯玉管理サーバーから取得したパスワードとを照合し、相互に一致するときに、貯玉の引き出しを許容する。
【００１３】
このような貯玉引き出しに係る一連の動作において、タッチパネル部２がパスワード入力手段として動作する。
タッチパネル部２は、例えば、液晶表示器と指触位置を検出可能な透明電極板の積層されたパネルで構成され、カード挿入口３から会員カードを受け付けると、図３に示すようなパスワード入力画面を表示する。
パスワード入力画面は、例えば、ワード列表示部２０、操作キー２１、及び取消キー２２を有している。
【００１４】
ワード列表示部２０は、例えば、３桁などの複数のワード（例えば、数字）を表示する表示領域であり、入力者に真偽を選択させるためのワードを表示する真偽ワード表示部２０１と、真偽の選択に係らないワードを表示するダミーワード表示部２０２と、を有している。
【００１５】
真偽ワード表示部２０１には、パスワードを構成する真ワードと、パスワードを構成しない偽ワードが入力者の操作に応じて切り替えて表示され、操作キー２１の操作により、表示されたワードの真偽が選択される。
ダミーワード表示部２０２（２０２ａ，２０２ｂ）も同様に、パスワードを構成する真ワードと、パスワードを構成しない偽ワードが入力者のキー操作に応じて切り替えて表示され、このダミーワード表示部２０２に表示されたワードが真偽ワード表示部２０１にシフトする。
具体的には、本実施形態では、例えば、二つのダミーワード表示部２０２ａ，２０２ｂを有しており、入力者のキー操作に応じてダミーワード表示部２０２ａに表示されるワードが真偽ワード表示部２０１にシフトするとともに、ダミーワード表示部２０２ｂに表示されるワードがダミーワード表示部２０２ａにシフトする。
【００１６】
例えば、図３に示すように、真偽ワード表示部２０１に「０」、ダミーワード表示部２０２ａに「５」、ダミーワード表示部２０２ｂに「６」が表示されている例で説明すると、入力者が真偽ワード表示部２０１に表示される「０」の真偽の選択を操作キー２１の操作により行うと、真偽ワード表示部２０１には「５」が、ダミーワード表示部２０２ａには「６」が更新表示される。また、このとき、ダミーワード表示部２０２ｂには新たなワードが表示される。
このようなシフト表示は、少なくともパスワードを構成する真ワードがすべて真偽ワード表示部２０１に表示されるまで行われ、これにより、真として選択されたワードを順次受け付けるとともに、受け付け順に並べたワード列とパスワードとの照合を行うことができる。
【００１７】
操作キー２１は、真偽ワード表示部２０１に表示されたワードの真偽を選択するための複数の操作キーを有している。
操作キー２１は、それぞれ異なるワードが表示される複数の操作キーからなるとともに、真の選択を示す真ワードキーと、偽の選択を示す偽ワードキーとを有しており、各操作キー２１には真偽の選択を特定不能なワードが表示されている。
例えば、本実施形態では、１０の操作キー２１を有するとともに、真偽の選択を特定不能なワードとして、０〜９の数字が一つずつ各操作キー２１に表されている。
なお、操作キー２１に表示される真偽の選択を特定不能なワードは、数字に限らず、例えば、図８に示すような記号や、その他の絵柄などでもよい。
【００１８】
また、真ワードキー及び偽ワードキーは、予め貯玉会員本人のみが知り得るキーであって、例えば、パスワード申請とともに事前に遊技場に申請し貯玉管理サーバーに記憶・管理させる、又は、パスワード入力操作前に入力者が任意に選択して事前に再プレイ機１に記憶させるなどの方法により、再プレイ機１が真偽の選択を識別可能なキーとして設定されている。また、真ワードキー及び偽ワードキーはそれぞれ複数有していることが好ましい。
例えば、図４に示すパスワード入力例では、真ワードキーが「３」、「６」、「９」に、偽ワードキーが「１」、「２」、「４」、「５」、「７」、「８」、「０」に予め設定され、図５に示すパスワード入力例では、真ワードキーが「３」、「６」、「９」、「０」に、偽ワードキーが「１」、「２」、「４」、「５」、「７」、「８」に予め設定された例となっている。
【００１９】
取消キー２２は、真ワードキーを操作すべきところ偽ワードキーを操作したり、偽ワードにもかかわらず真ワードキーを操作したりするなど、入力者が操作キー２１の選択操作を間違えたときに操作されるキーである。この取消キー２２の操作により、例えば、当該操作前のキー操作を無かったものとして取り消し、各表示部２０１，２０２に表示されているワードを１つ右の表示部にシフトさせたり、パスワード入力に係る初期画面に移行したりなど操作の取り消しに係る処理が実行される。
【００２０】
このように構成されたパスワード入力画面において、パスワードを実際に入力する例について図４及び図５を参照しながら説明する。
図４は、パスワードが「５６３２」であり、真ワードキーが「３」、「６」、「９」に、偽ワードキーが「１」、「２」、「４」、「５」、「７」、「８」、「０」のときの入力例であり、（１）〜（７）の手順によりパスワード入力が完了する例である。
また、この例では、入力開始時（１）において、例えば、真偽ワード表示部２０１に「０」、ダミーワード表示部２０２ａに「５」、ダミーワード表示部２０２ｂに「６」が表示されているものとする。
【００２１】
（１）真偽ワード表示部２０１に表示される「０」は、パスワードを構成する先頭の真ワード「５」ではなく、偽ワードであるので、入力者は「偽」の選択を示すキー操作を行うべく、複数の偽ワードキーの中から任意の偽ワードキーとして、例えば、偽ワードキー「７」を操作（タッチ）する。この操作により、各表示部２０１，２０２に表示されたワードが一つずつ左にシフトするとともに、ダミーワード表示部２０２ｂに新たなワード「０」が表示される。
【００２２】
（２）真偽ワード表示部２０１に表示される「５」は、パスワードを構成する先頭の真ワード「５」であるので、入力者は「真」の選択を示すキー操作を行うべく、複数の真ワードキーの中から任意の真ワードキーとして、例えば、真ワードキー「３」を操作（タッチ）する。この操作により、記憶部７に「５」が記憶されるとともに、各表示部２０１，２０２に表示されたワードが左に一つずつシフトし、ダミーワード表示部２０２ｂに新たなワード「３」が表示される。
【００２３】
（３）真偽ワード表示部２０１に表示される「６」は、パスワードを構成する先頭から二桁目の真ワード「６」であるので、入力者は「真」の選択を示すキー操作を行うべく、複数の真ワードキーの中から任意の真ワードキーとして、例えば、真ワードキー「９」を操作（タッチ）する。この操作により、記憶部７に「５」に加えて「６」が記憶されるとともに、各表示部２０１，２０２に表示されたワードが左に一つずつシフトし、ダミーワード表示部２０２ｂに新たなワード「８」が表示される。
【００２４】
（４）真偽ワード表示部２０１に表示される「０」は、パスワードを構成する先頭から三桁目の真ワード「３」ではなく、偽ワードであるので、入力者は「偽」の選択を示すキー操作を行うべく、複数の偽ワードキーの中から任意の偽ワードキーとして、例えば、偽ワードキー「４」を操作（タッチ）する。この操作により、各表示部２０１，２０２に表示されたワードが左に一つずつシフトするとともに、ダミーワード表示部２０２ｂに新たなワード「２」が表示される。
【００２５】
（５）真偽ワード表示部２０１に表示される「３」は、パスワードを構成する先頭から三桁目の真ワード「３」であるので、入力者は「真」の選択を示すキー操作を行うべく、複数の真ワードキーの中から任意の真ワードキーとして、例えば、真ワードキー「６」を操作（タッチ）する。この操作により、記憶部７に「５」、「６」に加えて「３」が記憶されるとともに、各表示部２０１，２０２に表示されたワードが左に一つずつシフトし、ダミーワード表示部２０２ｂに新たなワード「１」が表示される。
【００２６】
（６）真偽ワード表示部２０１に表示される「８」は、パスワードを構成する先頭から四桁目の真ワード「２」ではなく、偽ワードであるので、入力者は「偽」の選択を示すキー操作を行うべく、複数の偽ワードキーの中から任意の偽ワードキーとして、例えば、偽ワードキー「２」を操作（タッチ）する。この操作により、各表示部２０１，２０２に表示されたワードが左に一つずつシフトするとともに、ダミーワード表示部２０２ｂに新たなワード「４」が表示される。
【００２７】
（７）真偽ワード表示部２０１に表示される「２」は、パスワードを構成する先頭から四桁目の真ワード「２」であるので、入力者は「真」の選択を示すキー操作を行うべく、複数の真ワードキーの中から任意の真ワードキーとして、例えば、真ワードキー「３」を操作（タッチ）する。この操作により、記憶部７に「５」、「６」、「３」に加えて「２」が記憶される。
【００２８】
以上（１）〜（７）の手順により、記憶部７にワード列「５６３２」が記憶される。記憶部７に記憶されるワード列のワード数（４）がパスワードを構成するワード数（４）に達すると、このワード列と、予め貯玉管理サーバーから取得したパスワードとの照合が行われる。照合一致のときには貯玉からの引き出しが許容され、不一致のときには貯玉からの引き出しが許容されずに「パスワードが異なります。」などのメッセージがタッチパネル部２に表示されるとともに、新たなパスワード入力画面が表示される。
なお、入力操作は、（７）の手順後も続けること好ましく、例えば、ダミーワード表示部２０２ａ及び２０２ｂに表示される「１」及び「４」の真偽を選択する操作が完了するまで行うことができる。この場合、「１」及び「４」の真偽を選択する操作が完了したときに、上記の照合を行うことが好ましい。また、「１」が真偽ワード表示部２０１に表示されるときには、ダミーワード表示部２０２ｂにはワードが表示されず、「４」が真偽ワード表示部２０１に表示されるときには、ダミーワード表示部２０２ａ及び２０２ｂにはワードが表示されないことが好ましい。
【００２９】
このようなパスワードの入力手順から以下のような奏効が得られる。
まず、真偽ワード表示部２０１には、パスワードを構成する真ワードと、パスワードを構成しない偽ワードが切り替えて表示されるので、パスワード入力時に第三者が背後から覗いて見ても、どのワードが真のワードなのかを特定することができない。
また、操作履歴と記憶部７の記憶内容は相互に関連しないワード列となることから、操作履歴からパスワードを推測することができない。
また、真偽のいずれを選択したのかを、操作キー２１に表示されたワードから特定できないことから、どのワードが真ワードなのかを特定することができない。
以上のようなことから、パスワード入力時にパスワードを盗み取られる危険をなくすことができる。
【００３０】
図５に示すパスワード入力例は、パスワードが図４の例と同様「５６３２」であるものの、真ワードキーが「３」、「６」、「９」、「０」に、偽ワードキーが「１」、「２」、「４」、「５」、「７」、「８」のときの入力例であり、（１）〜（１０）の手順によりパスワード入力が完了する例となっている。
また、この例では、図４と同様、入力開始時（１）において、例えば、真偽ワード表示部２０１に「０」、ダミーワード表示部２０２ａに「５」、ダミーワード表示部２０２ｂに「６」が表示されているものとする。
なお、この例は、図４に示す例とは異なり、真ワードキーを２回連続して操作されたときに限り、真偽ワード表示部２０１に表示されるワードを「真」として確定するようになっている。
【００３１】
（１）真偽ワード表示部２０１に表示される「０」は、パスワードを構成する先頭の真ワード「５」ではなく、偽ワードであるので、入力者は「偽」の選択を示すキー操作を行うべく、複数の偽ワードキーの中から任意の偽ワードキーとして、例えば、偽ワードキー「７」を操作（タッチ）する。この操作により、各表示部２０１，２０２に表示されたワードが一つずつ左にシフトするとともに、ダミーワード表示部２０２ｂに新たなワード「７」が表示される。
【００３２】
（２）真偽ワード表示部２０１に表示される「５」は、パスワードを構成する先頭の真ワード「５」であるので、入力者は「真」の選択を示すキー操作を行うべく、複数の真ワードキーの中から任意の真ワードキーとして、例えば、真ワードキー「３」を操作（タッチ）する。この操作により、記憶部７に「５」が仮記憶されるとともに、各表示部２０１，２０２に表示されたワードが左に一つずつシフトし、ダミーワード表示部２０２ｂに新たなワード「６」が表示される。
【００３３】
（３）真偽ワード表示部２０１に表示される「８」は、パスワードを構成する真ワードではないものの、記憶部７に仮記憶された「５」を本記憶（確定）させるべく、入力者は「真」の選択を示すキー操作を行い、例えば、手順（２）で操作した真ワードキー「３」とは異なる真ワードキー「９」を操作（タッチ）する。この操作により、記憶部７に「５」が本記憶されるとともに、各表示部２０１，２０２に表示されたワードが左に一つずつシフトし、ダミーワード表示部２０２ｂに新たなワード「３」が表示される。
【００３４】
（４）真偽ワード表示部２０１に表示される「７」は、パスワードを構成する先頭から二桁目の真ワード「６」ではなく、偽ワードであるので、入力者は「偽」の選択を示すキー操作を行うべく、複数の偽ワードキーの中から任意の偽ワードキーとして、例えば、偽ワードキー「２」を操作（タッチ）する。この操作により、各表示部２０１，２０２に表示されたワードが一つずつ左にシフトするとともに、ダミーワード表示部２０２ｂに新たなワード「１」が表示される。
【００３５】
（５）真偽ワード表示部２０１に表示される「６」は、パスワードを構成する先頭から二桁目の真ワード「６」であるので、入力者は「真」の選択を示すキー操作を行うべく、複数の真ワードキーの中から任意の真ワードキーとして、例えば、真ワードキー「０」を操作（タッチ）する。この操作により、記憶部７に「６」が仮記憶されるとともに、各表示部２０１，２０２に表示されたワードが左に一つずつシフトするとともに、ダミーワード表示部２０２ｂに新たなワード「９」が表示される。
【００３６】
（６）真偽ワード表示部２０１に表示される「３」は、パスワードを構成する先頭から三桁目の真ワードでありながらも、記憶部７に仮記憶された「６」の本記憶を優先させるべく、入力者は「真」の選択を示すキー操作を行い、例えば、手順（５）で操作した真ワードキー「０」とは異なる真ワードキー「９」を操作（タッチ）する。この操作により、記憶部７に「５」に加えて「６」が本記憶（確定）されるとともに、各表示部２０１，２０２に表示されたワードが左に一つずつシフトし、ダミーワード表示部２０２ｂに新たなワード「２」が表示される。また、この場合、真偽ワード表示部２０１に表示される「３」は、記憶部７に仮記憶される。
【００３７】
（７）真偽ワード表示部２０１に表示される「１」は、パスワードを構成する真ワードではないものの、記憶部７に仮記憶された「３」を本記憶させるべく、入力者は「真」の選択を示すキー操作を行い、例えば、手順（６）で操作した真ワードキー「９」とは異なる真ワードキー「６」を操作（タッチ）する。この操作により、記憶部７に「５」、「６」に加えて「３」が本記憶（確定）されるとともに、各表示部２０１，２０２に表示されたワードが左に一つずつシフトし、ダミーワード表示部２０２ｂに新たなワード「４」が表示される。
【００３８】
（８）真偽ワード表示部２０１に表示される「９」は、パスワードを構成する先頭から四桁目の真ワード「２」ではなく、偽ワードであるので、入力者は「偽」の選択を示すキー操作を行うべく、複数の偽ワードキーの中から任意の偽ワードキーとして、例えば、偽ワードキー「４」を操作（タッチ）する。この操作により、各表示部２０１，２０２に表示されたワードが一つずつ左にシフトするとともに、ダミーワード表示部２０２ｂに新たなワード「１」が表示される。
【００３９】
（９）真偽ワード表示部２０１に表示される「２」は、パスワードを構成する先頭から四桁目の真ワード「２」であるので、入力者は「真」の選択を示すキー操作を行うべく、複数の真ワードキーの中から任意の真ワードキーとして、例えば、真ワードキー「３」を操作（タッチ）する。この操作により、記憶部７に「２」が仮記憶されるとともに、各表示部２０１，２０２に表示されたワードが左に一つずつシフトするとともに、ダミーワード表示部２０２ｂに新たなワード「８」が表示される。
【００４０】
（１０）真偽ワード表示部２０１に表示される「４」は、パスワードを構成する真ワードではないものの、記憶部７に仮記憶された「２」を本記憶させるべく、入力者は「真」の選択を示すキー操作を行い、例えば、手順（９）で操作した真ワードキー「３」とは異なる真ワードキー「６」を操作（タッチ）する。この操作により、記憶部７に「５」、「６」、「３」に加えて「２」が本記憶（確定）される。
【００４１】
以上（１）〜（１０）の手順により、記憶部７にワード列「５６３２」が記憶される。記憶部７に記憶されるワード列のワード数（４）がパスワードを構成するワード数（４）に達すると、このワード列と、予め貯玉管理サーバーから取得したパスワードとの照合が行われる。照合一致のときには貯玉からの引き出しが許容され、不一致のときには貯玉からの引き出しが許容されずに「パスワードが異なります。」などのメッセージがタッチパネル部２に表示されるとともに、新たなパスワード入力画面が表示される。
なお、入力操作は、（１０）の手順後も続けること好ましく、例えば、ダミーワード表示部２０２ａ及び２０２ｂに表示される「１」及び「８」の真偽を選択する操作が完了するまで行うことができる。この場合、「１」及び「８」の真偽を選択する操作が完了したときに、上記の照合を行うことが好ましい。また、「１」が真偽ワード表示部２０１に表示されるときには、ダミーワード表示部２０２ｂにはワードが表示されず、「８」が真偽ワード表示部２０１に表示されるときには、ダミーワード表示部２０２ａ及び２０２ｂにはワードが表示されないことが好ましい。
また、上記の例では、仮記憶されているワードを本記憶すべき際に、仮記憶されているワードがワード列表示部２０に表示されていないが、仮記憶されているワードを表示させることもできる。
例えば、上記（１０）の手順において、真偽ワード表示部２０１に表示される「４」の左側にワード表示部を新たに設け、仮記憶されている「２」をこの新たなワード表示部に表示させることもできる。これにより、入力者はこの新たなワード表示部に表示されるワード「２」を視認しつつ、「真」の選択を示すキー操作を行うことができる。なお、この新たなワード表示部には、過去のキー操作に係る一操作前のワード（１桁）に限らず、二操作以上前のワード（２桁以上）を表示させることもでき、表示させる桁数は所定の選択操作により設定可能としてもよい。
【００４２】
以上のようなパスワードの入力手順から、図４に示す入力例と同様な奏効が得られるうえ、真ワードキーを２回連続して操作されたときに限り、真偽ワード表示部２０１に表示されるワードを「真」として確定するとともに、２回連続して操作する真ワードキーをそれぞれ違えることにより、パスワードを盗み取られる危険性をさらに減少させることができる。
また、真ワードに続いて偽ワードが表示されるときには、真偽ワード表示部２０１に偽ワードが表示されているにもかかわらず、先の真ワードを本記憶させるべく、真ワードキーを操作することになるので、パスワードの解析をより困難にすることができる。
なお、２回連続して同じ真ワードキーが操作されたときには、本記憶しないものとすることができる。
【００４３】
次に、真偽ワード表示部２０１に表示されるワードの生成方法について説明する。
真偽ワード表示部２０１に表示されるワードは、単に乱数等によりランダムに選定されたものではなく、以下のように一定の法則性を有して生成されることが好ましい。なお、以下の説明において真偽ワード表示部２０１に順次表示されるワードを出現順に並べた列をワード列というものとする。
（１）生成されるワード列の中にはパスワードを構成するそれぞれの真ワードすべてが少なくとも１組は存在する。
（２）ワード列には真ワードと偽ワードとが混在するものの、パスワードを構成するそれぞれの真ワードがパスワードの構成順に出現する。
【００４４】
（３）真ワードキー１回の操作で真偽ワード表示部２０１に表示されるワードを「真」として確定する場合において、先に出現する一の真ワードとこれに続く他の真ワードとの間に偽ワードを出現させるときは、その数に制限はない（図６参照）。
（４）真ワードキー２回の連続操作で真偽ワード表示部２０１に表示されるワードを「真」として確定する場合において、先に出現する一の真ワードとこれに続く他の真ワードとの間に偽ワードを出現させるときには、これらの間に少なくとも２つの偽ワードを出現させる（図６参照）。
これは、先に出現する一の真ワード（例えば、「５」）とこれに続く他の真ワード（例えば、「６」）との間に一の偽ワード（例えば、「４」）を出現させると、一の偽ワード（「４」）が表示されているときに先の一の真ワード（「５」）を本記憶させるべく真ワードキーを操作するとともに、一の偽ワードに続く他の真ワード（「６」）が表示されているときにその真ワード（「６」）を仮記憶させるべく真ワードキーを操作しなければならず、そうすると、その真ワードキー操作は偽ワード（「４」）の本記憶に該当してしまうので、これを避けるためである。
（５）真ワードキー３回の連続操作で真偽ワード表示部２０１に表示されるワードを「真」として確定する場合において、先に出現する一の真ワードとこれに続く他の真ワードとの間に偽ワードを出現させるときには、これらの間に少なくとも３つの偽ワードを出現させる（図６参照）。これも２回連続のときと同様な理由による。
なお、真ワードキー４回以上の連続操作で真偽ワード表示部２０１に表示されるワードを「真」として確定する場合においても、連続操作回数と同数以上の偽ワードを出現させる必要がある。また、真ワードキー２回以上の連続操作で真偽ワード表示部２０１に表示されるワードを「真」として確定する場合において、先に出現する一の真ワード（「５」）とこれに続く他の真ワード（「６」）との間に出現させる偽ワードには、偽ワードのみならず、他の真ワード（「６」）以外の真ワード（「５、３、２」）を含めることができる。
このように真偽ワード表示部２０１に表示されるワードが一定の法則性を有して生成されることで、ランダムに生成するよりも無駄なキー操作を少なくすることができ、入力の効率化が図られる。
【００４５】
以上のようなパスワードの入力に係る一連の動作は、例えば、記憶部７に記憶されたプログラムを制御部１０が実行することにより実現される。
以下に、当該プログラムに対応するパスワード照合処理について、図７に示すフローチャートを参照しながら説明する。
【００４６】
この処理は、カード挿入口３より会員カードが挿入されることで実行され、まず、挿入された会員カードから会員ＩＤを読み取り（Ｓ１）、読み取った会員ＩＤを通信部５を介して貯玉管理サーバーに送信する。
貯玉管理サーバーでは、受信した会員ＩＤと紐付けられたパスワードを探索し、探索されたパスワードを再プレイ機１に送信する。このとき、真ワードキーが予め登録されているときには、真ワードキーも送信する。これにより、再プレイ機１は、パスワード（及び真ワードキー）を取得する（Ｓ２）。
制御部１０は、前述の法則に基づいてパスワードを構成する真ワードをそれぞれ少なくとも１組含むとともに偽ワードの混在するワード列を生成し、ワード列表示部２０に表示させる。
続いて、操作キー２１の操作に応じてワード列表示部２０のワードを順次、左シフトさせながら、真ワードキーが操作されたときには（Ｓ４−Ｙｅｓ）、そのときに真偽ワード表示部２０１に表示されているワードを記憶する（Ｓ５）。
そして、生成したワード数分のキー操作を検知すると（Ｓ６−Ｙｅｓ）、記憶したワードとパスワードとの照合を行い（Ｓ７）、記憶したワードとパスワードとが一致するときには（Ｓ７−Ｙｅｓ）、貯玉からの引き出しを許可し、一致しないときには（Ｓ７−Ｎｏ）、再びパスワードの入力をさせるべく、新たなワード列を生成・表示又は前回と同じワード列を表示する（Ｓ３）。
【００４７】
以上説明したように、本実施形態の再プレイ機及びパスワード入力方法によれば、パスワード入力時にパスワードを盗み取られる危険をなくすことができる。
【００４８】
以上、本発明のパスワード入力装置及びパスワード入力方法の好ましい実施形態について説明したが、本発明に係るパスワード入力装置及びパスワード入力方法は上述した実施形態にのみ限定されるものではなく、本発明の範囲で種々の変更実施が可能であることはいうまでもない。
【００４９】
例えば、本実施形態では、パスワードの照合を再プレイ機で行ったが、貯玉管理サーバーで行うこともできる。この場合、再プレイ機は、キー操作を受け付けたときの真偽ワード表示部２０１に表示されたワード列を貯玉管理サーバーに送信する必要がある。
また、ワード列表示部２０に表示される桁数は、３桁に限らず、１桁、２桁又は４桁以上でもよい。また、ワード列表示部２０に表示されるワードは、数字に限らず、文字、絵などの他の形態のワードでもよく、認証情報として使用可能であればどのような情報でもよい。
また、ワード列表示部２０に表示されるワードの並び方向も、横方向に限らず縦方向でもよく、シフト（更新）方向も左シフトに限らず、右シフト、上下方向へのシフトでもよい。
また、真ワードキーを２回以上連続して操作されたときに限り、真偽ワード表示部２０１に表示されるワードを「真」として確定する場合において、本実施形態では、連続して操作する真ワードキーをそれぞれ違えたが、同じ真ワードキーを連続して操作しても、真偽ワード表示部２０１に表示されるワードを「真」として確定させることもできる。
また、本実施形態では、遊技機島の端部に設けられるスタンドアロンタイプの再プレイ機に適用したが、各遊技機の台間ごとに設置される台間機タイプの再プレイ機にも適用可能である。
また、パスワード入力装置としては、再プレイ機のみならず、遊技媒体貸出機、遊技情報提供表示機、ＡＴＭ、携帯電話、スマートフォンなどのパスワードを入力可能な装置ならば、その装置の形態は問わない。
【符号の説明】
【００５０】
１  再プレイ機
２  タッチパネル部（表示手段、選択手段）
２１  操作キー（真ワードキー、偽ワードキー）
７  記憶部（受付手段）
【図１】
0006376598.tif 000002
【図２】
0006376598.tif 000003
【図３】
0006376598.tif 000004
【図４】
0006376598.tif 000005
【図５】
0006376598.tif 000006
【図６】
0006376598.tif 000007
【図７】
0006376598.tif 000008
【図８】
0006376598.tif 000009